(57)【要約】【課題】構造が簡単で、光学台支持枠ががたつくことを防止する光電式分離型感知器を得る。【解決手段】本発明に係る光電式分離型感知器１は、光学台２３を保持すると共に器台１１上に軸３９を中心にして回動可能に設置された光学台支持枠１９と、光学台支持枠１９を水平方向に回動させて光学台２３における水平方向の光軸Ｌを調整する水平角調整手段２５を有し、水平角調整手段２５は、光学台支持枠１９に水平方向の回動力を与えるとともに、光学台支持枠１９を前傾させるように押圧する水平角調整用バネ３５を有していることを特徴とするものである。【選択図】  図１
2014035714.tif 000002
【特許請求の範囲】
【請求項１】
発光素子が収容された光学台を有する送光器と、受光素子が収容された光学台を有する受光器とを監視空間内に対向配置してなる光電式分離型感知器において、
前記光学台を保持すると共に器台上に軸部を中心にして回動可能に設置された光学台支持枠と、
該光学台支持枠を水平方向に回動させて前記光学台における水平方向の光軸を調整する水平角調整手段を有し、
該水平角調整手段は、前記光学台支持枠に水平方向の回動力を与えるとともに、前記光学台支持枠を前傾させるように押圧する水平角調整用バネを有していることを特徴とする光電式分離型感知器。
【請求項２】
前記光学台支持枠は、器台上に設置された平ワッシャに載置されていることを特徴とする請求項１記載の光電式分離型感知器。
【発明の詳細な説明】
【技術分野】
【０００１】
本発明は、発光素子が収容された光学台を有する送光器と、受光素子が収容された光学台を有する受光器とを監視空間内に対向配置してなる光電式分離型感知器に関するものである。
【背景技術】
【０００２】
光電式分離型感知器は、発光素子を収容した光学台を有する送光器と、受光素子を収容した光学台を有する受光器とを高所（通常、地上１０〜１５ｍ）において通常５〜１００ｍの監視距離を隔てて対向配置してなる。光電式分離型感知器は、火災が発生して送光器と受光器の間に火災による煙が存在することによる、光の減衰を感知することで煙の存在を感知するものである。
送光器と受光器を長距離離して設置するため、設置状態において、送光器と受光器の光軸を調整して一致させるための調整が必要である。
そのため、一般的な光電式分離型感知器において、光学台は本体に対して垂直方向および水平方向に回動可能に設けられており、また、これらの回動量を調整することで光軸を調整する光軸調整手段を有している。
このようなものとして、例えば特許文献１に開示される光電式分離型感知器がある。特許文献１の光電式分離型感知器の光学台は光学台支持枠によって垂直方向に回動可能に設置されており、光学台支持枠は本体に対して水平方向に回動可能に設置されている。こうすることで、光学台が垂直方向および水平方向に回動可能になっている（特許文献１の段落［００６９］参照）。
また、特許文献１の光電式分離型感知器は、光軸調整手段としての調整ネジと、光学台および光学台支持枠のそれぞれを一定方向に回動するように付勢する調整バネとを有している。
【０００３】
光学台支持枠を回動可能に設置するためには、回動支持部にわずかな遊びが形成されている必要があるが、遊びが形成されていることは、光学台支持枠には前後左右にがたつきが生ずることを意味する。そのため光軸の調整後に振動等で光軸がずれてしまう恐れがある。
この点、特許文献１においては、光電式分離型感知器の光学台支持枠を上下に設けた回動軸で回動可能に支持すると共に、該上下の軸部に光学台支持枠をその中心方向に押圧する支持バネを設置することでがたつきの発生を防止している（特許文献１の段落［００６９］参照）。
【先行技術文献】
【特許文献】
【０００４】
【特許文献１】特開２００６−２６８８６８号公報
【発明の概要】
【発明が解決しようとする課題】
【０００５】
しかしながら、特許文献１の光電式分離型感知器は、光学台支持枠のがたつきを防止するために、光学台支持枠をその上下で支持し、かつ専用の支持バネを必要とし、構造が複雑であるという問題がある。
本発明は、上記のような問題を解決するためになされたものであり、構造が簡単で、光学台支持枠ががたつくことを防止する光電式分離型感知器を得ることを目的とする。
【課題を解決するための手段】
【０００６】
（１）本発明に係る光電式分離型感知器は、発光素子が収容された光学台を有する送光器と、受光素子が収容された光学台を有する受光器とを監視空間内に対向配置してなる光電式分離型感知器において、
前記光学台を保持すると共に器台上に軸部を中心にして回動可能に設置された光学台支持枠と、
該光学台支持枠を水平方向に回動させて前記光学台における水平方向の光軸を調整する水平角調整手段を有し、
該水平角調整手段は、前記光学台支持枠に水平方向の回動力を与えるとともに、前記光学台支持枠を前傾させるように押圧する水平角調整用バネを有していることを特徴とするものである。
【０００７】
（２）また、上記（１）に記載のものにおいて、前記光学台支持枠は、器台上に設置された平ワッシャに載置されていることを特徴とするものである。
【発明の効果】
【０００８】
本発明においては、光学台を保持すると共に器台上に軸部を中心にして回動可能に設置された光学台支持枠と、該光学台支持枠を水平方向に回動させて光学台における水平方向の光軸を調整する水平角調整手段を有し、該水平角調整手段は、光学台支持枠に水平方向の回動力を与えるとともに、光学台支持枠を前傾させるように押圧する水平角調整用バネを有しているので、水平角調整用バネが光学台支持枠を前傾させる方向に強制的に押圧し、光学台支持枠を常時所定の姿勢に保持するため、光学台支持枠の回動部に遊びがあっても、がたつきを生ずることがない。しかも、水平角調整用バネが、光学台支持枠に水平方向の回動力を付与する作用とがたつき防止のための押圧作用とを兼用しているので、簡易な構造でがたつきが防止できる。
【図面の簡単な説明】
【０００９】
【図１】本発明の一実施の形態にかかる光電式分離型感知器の送光器の斜視図である。
【図２】本発明の一実施の形態にかかる光電式分離型感知器の全体構成を説明する説明図である。
【図３】図１の送光器の正面図である。
【図４】図１の送光器の右側面図である。
【図５】図１の送光器のＡ−Ａ矢視断面図である。
【図６】図１の送光器の分解斜視図である。
【図７】図１の送光器の本体の斜視図である。
【図８】図１の送光器を構成する部品の斜視図である（その１）。
【図９】図１の送光器を構成する部品の斜視図である（その２）。
【図１０】図１の送光器を構成する部品の斜視図である（その３）。
【図１１】図１の送光器の光軸調整手段の一部の動作を説明する説明図である（その１）。
【図１２】図１の送光器の運搬時の状態を説明する説明図である。
【図１３】図１の送光器の設置方法を説明する説明図である（その１）。
【図１４】図１の送光器の設置方法を説明する説明図である（その２）。
【図１５】図１の送光器の光軸調整方法を説明する説明図である。
【図１６】図１の送光器の他の態様の斜視図である。
【図１７】図１６の送光器の正面図である。
【図１８】図１の送光器の光軸調整手段の一部の動作を説明する説明図である（その２）。
【図１９】図１、図１６の送光器の他の態様の斜視図である。
【図２０】図１９の送光器を構成する部品の斜視図である。
【図２１】図１９の送光器の光軸調整手段の一部の動作を説明する説明図である。
【発明を実施するための形態】
【００１０】
本発明の一実施の形態に係る光電式分離型感知器１について、主に図１〜図１０に基づいて、また必要に応じて他の図を適宜参照しながら説明する。
光電式分離型感知器１は、図２に示すように、発光素子２１（図３参照）が収容された光学台２３を有する送光器３と、受光素子２２が収容された光学台２３を有する受光器５とを監視空間内に対向配置してなる。なお、送光器３と受光器５では、発光素子２１と受光素子２２およびその関連回路を除き、ほとんど同一の構成であるので、以下の説明では、送光器３を例に挙げて説明する。
【００１１】
送光器３は、図１、図３〜図６に示すように、略Ｌ字状のＬ字部材７と、Ｌ字部材７の水平面部７ｂ（台座）の下面側に取り付けられた器台１１とを備える本体１３と、建造物の壁側に取り付けられて本体１３を設置するベース１５と、本体１３を覆う有底枠体のカバー１７（図２および図１２参照）と、立断面が略Ｕ字状からなり、本体１３の水平面部７ｂの上面側に水平方向に回動可能に取り付けられた光学台支持枠１９と、光学台支持枠１９に垂直方向に回動可能に取り付けられて、発光素子２１を収容する光学台２３と、光学台２３の水平方向の回動角（水平角）を調整するための水平角調整手段２５と、光学台２３の垂直方向の回動角（垂直角）を調整するための垂直角調整手段２７とを有している。なお、図１、図３〜図５はカバー１７を取り外した状態を図示したものである。
上記各構成について図１〜図１０に基づいて以下に詳細に説明する。
【００１２】
＜本体＞
本体１３は、図７に示す通り、矩形状の幅広の板を略Ｌ字状に屈曲したようなＬ字部材７と、Ｌ字部材７の水平面部７ｂの下面側に設けられて基板９等（図５参照）を収容する扁平した箱状の器台１１とを有している。
Ｌ字部材７の垂直部である立面部７ａの上両角部には、設置時において本体１３をベース１５に係止するための係止孔３１が設けられている。係止孔３１は、本体係止用ビス３３の頭部が通り抜けられる大きさの矩形部３１ａと、矩形部３１ａの上側に設けられて矩形部３１ａよりも幅狭の幅狭部３１ｂからなる。
立面部７ａの下部には、水平方向かつ前方に突出する棒状からなり、本体１３側に固定されている固定軸３７が設けられ、該固定軸３７には所定長さの弦巻バネからなる水平角調整用バネ３５に挿通されている。
本発明の実施の形態に係る固定軸３７は、水平面部７ｂから立面部７ａの高さの５分の１程度の高さにあり、かつ、立面部７ａの中心を通る垂線より、正面から見て右側に位置している。なお、固定軸３７の位置はこの位置に限ることはなく、Ｌ字部材７の上に載置される光学台支持枠１９におけるネジ８５より上部を、水平角調整用バネ３５が押圧できる位置であれば良い。
Ｌ字部材７の水平面部７ｂの中央には、光学台支持枠１９の後述する回動孔８１に挿入されて該光学台支持枠１９を水平方向に回動可能に支持するための支持軸３９が設けられている。支持軸３９の中心にはネジ孔３９ａが設けられている。支持軸３９には光学台支持枠１９の回動を円滑にするための平ワッシャ４１が挿入されている。
Ｌ字部材７の水平面部７ｂの正面側右側角部には、後述する水平角調整用雄ネジ８９の頭部近傍を支持する支持部材としての支持部４３が設けられている。支持部４３の中央には円形の挿通孔４３ａを有している。
なお、本発明の実施の形態では、光学台２３のレンズ９１を正面として、位置や方向（例えば、右側、奥側、等）を示すことにする。
【００１３】
器台１１の下面の正面寄りの位置には、図３および図４に示す通り、壁側からの配線１１１を接続するコネクタ部１１ａが設けられている。
器台１１の背面の中央部には、図５に示す通り、背面側から正面側に向かって傾斜してなり、配線１１１をガイドするガイド面１１ｂが形成されている。ガイド面１１ｂは、後述する仮設置部４５同士の間に位置し、本体１３の水平面部７ｂの背面から、内方に向かって傾斜するテーパ面からなっている。言い換えると、ガイド面１１ｂは、本体１３の背面下方に位置し、奥側（ベース側）から手前側（正面）に向かって傾斜するテーパ面からなっている。すなわち、ガイド面１１ｂによって、本体１３とベース１５間の空間が下方に向かって拡がるようになっており、ガイド面１１ｂがベース１５の開口部から本体１３へ向かって設けられる配線１１１を下方にガイドする。
また、器台１１の背面側の下部の両端部には、器台１１の背面側の縦壁が下方に延出してなる、本体１３をベース１５に仮設置するための仮設置部４５が設けられている。仮設置部４５の両端には仮設置部４５が折れ曲がることを防止する補強板４５ａが設けられている（図４参照）。仮設置部４５にはダルマ孔４５ｂが設けられている（図３参照）。
【００１４】
＜ベース＞
ベース１５は、建造物等の壁側の図示しないスイッチボックス等に固定することによって、本体１３を壁側に設置するものである。
ベース１５は、図８に示すように、矩形状の有底枠体形状からなり、下辺部には、前方に張出す張り出し部５１が形成されている。張り出し部５１には、カバー１７を開けたときにカバー１７を引っ掛けておくためのフック５１ａが設けられている。フック５１ａは張り出し部５１の両端に設けられており、正面側から見て手前側から奥側（ベース側）へ上向きに折り返すように形成され、奥側上部が開口している。これによって、後述するカバー１７の引掛け軸６３をフック５１ａに上方から入れることができるようになっている。
ベース１５の中央部には、大きく開口した配線窓５３が設けられており、壁側からの配線１１１を引き出せるようになっている。配線窓５３の外周部にはスイッチボックス等へ設置するための複数のダルマ孔５５が設けられている。
ベース１５の上角部には本体係止用ビス３３が取り付けられるビス孔５７が設けられている。本体係止用ビス３３は、完全にはねじ込まれておらず、本体係止用ビス３３の頭部とベース１５のビス孔５７を有する面との間に、本体１３の立面部７ａの板厚程度の隙間ができるようにしている。
【００１５】
＜カバー＞
カバー１７は、図２および図１２に示すように、深底の有底枠体からなり、下部の面には、矩形状に切り欠いてなる切欠き部６１を有しており、ベース１５の張り出し部５１が挿入可能となっている。カバー１７の切欠き部６１の両側の内壁面には、開口部側の角に内方に突出してなり、ベース１５のフック５１ａに引っ掛けるための引掛け軸６３を有している。言い方を変えると、引掛け軸６３は、正面側から見て、両側面の内壁下端の奥側（ベース側）に設けられている。
【００１６】
＜光学台支持枠＞
光学台支持枠１９は、図９（ａ）に示すように、略Ｕ字状からなる。
光学台支持枠１９の縦方向に伸びる両立辺部１９ａの上端部には光学台２３を回動可能に支持するための軸孔７１が設けられている。
正面から見て右側の立辺部１９ａの先端には、図９（ａ）（ｂ）に示すように、光学台支持枠１９の内方に延出して圧縮弦巻バネからなる垂直角調整用バネ７３を下方から支えるためのバネ支え部７５を形成している。
バネ支え部７５の中央には、所定の長さの雄ネジからなる垂直角調整用雄ネジ７７と螺合する垂直角調整用雌ネジ７５ａが形成されている。
右側の立辺部１９ａの下部には、光学台支持枠１９の内方に延出してなり、圧縮弦巻バネからなる水平角調整用バネ３５の反力を受けるための水平方向反力受け部７９が形成されている。水平方向反力受け部７９は、本体１３のＬ字部材７の立面部７ａの裏側（ベース側）から挿通される固定軸３７の先端が挿入される横長孔７９ａを有している。
【００１７】
光学台支持枠１９の水平方向に伸びる底辺部１９ｂの中央には回動孔８１が設けられており、回動孔８１には本体１３の支持軸３９が挿入されている。そして、光学台支持枠１９は支持軸３９のネジ孔３９ａに、押えワッシャ８３をとりつけたネジ８５によって回動可能にネジ留めされている（図１、図３、図５および図６参照）。
底辺部１９ｂと本体１３の水平面部７ｂとの間には、図４に示す通り、支持軸３９の本体１３側に設置された平ワッシャ４１によって隙間Ｓが設けられており、摩擦面積が少なく回動がスムーズになるようになっている。
光学台支持枠１９の底辺部１９ｂの正面側の右部には、図９（ａ）、（ｂ）に示すように、正面側に向かって所定の長さだけ延出してかつ該延出部の右側が起立してなる起立部８７を有している。起立部８７は、図９（ｂ）に示すように、平面視で正面側が内方に向くように起立している。
起立部８７には横長の孔からなり、所定の長さの雄ネジからなる水平角調整用雄ネジ８９が挿通される横長挿通孔８７ａが設けられている。
【００１８】
＜光学台＞
光学台２３は、図１０に示すように、概形が扁平円筒状からなる。
光学台２３の前面には発光素子２１の光を遠方に届けるため（受光器５の場合は、受光素子２２に光を集めるため）のレンズ９１が装着されている。内部には、発光素子２１（受光器５の場合は、受光素子２２）が収容されている（図２および図３参照）。背面には図３や図６に示すように、基板９３が取り付けられている。
【００１９】
光学台２３の右側には、外方に突出する小径の突起９５が設けられている。また光学台２３の左側には、突起９５と同軸上にネジ孔が設けられている。光学台２３の突起９５は光学台支持枠１９の右側の立辺部１９ａに設けられた軸孔７１に挿入され、光学台２３の左側のネジ孔には光学台支持枠１９の左側の立辺部１９ａに設けられた軸孔７１に挿通されたネジ９７が螺入している（図３参照）。こうすることによって光学台２３は、突起９５とネジ９７を軸として回動可能になっている。
【００２０】
光学台２３の上部の正面側には、視準片９９が設けられている。視準片９９には、光軸Ｌの方向と一致するように視準孔９９ａが設けられている。より具体的には、視準孔９９ａは、光学台２３上部であって、発光素子２１（受光器５の場合は受光素子２２）を通り光学台２３の奥行方向垂直面内に設けられている。視準片９９の背面側には、右側に傾斜する反射鏡１００が設けられている（図１および図２を参照。図１０では反射鏡１０１を取り外した状態を図示している。）。また、光学台２３の右上部の正面側には、反射鏡１００に映った視準孔９９ａを覗き見ることができる覗き孔１０１ａを有する覗き片１０１が設けられている。覗き孔１０１ａは光学台２３上部の右端、言い換えると右側面（上側面）の上端に位置している。
光学台２３の右上部の背面側には、外方かつ水平方向に突出する小片からなり、垂直方向反力受け部１０３が設けられている。垂直方向反力受け部１０３には垂直角調整用雄ネジ７７の挿通孔１０３ａが設けられている。垂直方向反力受け部１０３と覗き孔１０１ａは同一部材で形成されている。
【００２１】
＜水平角調整手段＞
水平角調整手段２５は、水平角調整用バネ３５と頭部が操作部である水平角調整用雄ネジ８９と横長の板片からなる水平角規制部材１０５とによって、本体１３の支持部４３と光学台支持枠１９の起立部８７との距離を調整することで光学台２３の水平角度を調整する。
以下に、上記の水平角調整用バネ３５と水平角規制部材１０５と、これらの構成について詳細に説明する。
【００２２】
≪水平角調整用バネ≫
水平角調整用バネ３５は、上述したとおり所定の長さの圧縮弦巻バネからなり、内部に本体１３の固定軸３７が挿通可能な直径となっている。また、水平角調整用バネ３５の直径は、水平方向反力受け部７９の横長孔７９ａの垂直方向の径よりも大きく形成され、横長孔７９ａに挿通しないようになっている。水平角調整用バネ３５は、図１、図５および図６に示す通り、本体１３の固定軸３７が挿通されて、本体１３の立面部７ａと光学台支持枠１９の水平方向反力受け部７９とによって挟まれて圧縮されている。こうすることによって光学台支持枠１９を正面方向に押し出すような反発力を発生させている。光学台支持枠１９は支持軸３９によって水平方向に回動するようになっているため、前記反発力は、光学台支持枠１９（光学台２３）を平面視で時計回りに回動させるように作用している。
【００２３】
また、水平角調整用バネ３５は、図５に示す通り、底辺部１９ｂを回転可能に支持している支持軸３９よりも上方に取り付けられているため、支持軸３９とネジ８５の接続部が支点となり、水平角調整用バネ３５の反発力は、光学台支持枠１９をわずかに前傾させる方向（図５中の矢印を参照）にも作用する。光学台支持枠１９は回動可能に設置されているため、回動支持部にはわずかな遊びが形成されているが、水平角調整用バネ３５によって前傾方向に押されることで、光学台支持枠１９が常に前傾姿勢で保持されて、前後にがたつくことを防止している。
また、光軸調整時等に手が光学台２３に当たり、後方に傾いたとしても、水平角調整用バネ３５によって光学台支持枠１９が前傾方向に押されて、光学台２３は元の位置に戻ることができる。つまり、水平角調整用バネ３５は、光学台支持枠１９を常時所定の姿勢に保持している。従って、光学台支持枠１９が前後のがたつきを防止するための専用の機構を設ける必要がなく、上述したように、本体１３と光学台支持枠１９の間には平ワッシャ４１を取り付けて隙間Ｓを設けても、がたつくことがなく、かつ回動を良くすることができる。
【００２４】
≪水平角規制部材≫
水平角規制部材１０５は、図６に示すように、横長の板片からなる。水平角規制部材１０５の中央には、横長挿通孔８７ａに挿入されて横長挿通孔８７ａの左右に移動可能な凸部１０５ａが設けられている。凸部１０５ａの中央には、水平角調整用雄ネジ８９と螺合する水平角調整用雌ネジ１０５ｂが設けられている。
水平角調整用雄ネジ８９は、図１に示すように、本体１３の右方から本体１３の支持部４３に設けられた挿通孔４３ａと、光学台支持枠１９の起立部８７に設けられた横長挿通孔８７ａに挿通されており、水平角規制部材１０５は水平角調整用雄ネジ８９の先端側に取り付けられている。上述したとおり、光学台支持枠１９は水平角調整用バネ３５によって水平方向反力受け部７９が右側から左側（時計回り）に回動するようになっているため、光学台支持枠１９の起立部８７は、常に水平角規制部材１０５に押さえつけられている。なお、起立部８７は手前から奥に向かうに従って、右側面側に向かうように傾いて形成されている。
【００２５】
水平角調整用雄ネジ８９を回転させると、水平角規制部材１０５は横長であるために光学台支持枠１９の底辺部１９ｂに当たって回動しないようになっている。より詳細には、水平角規制部材１０５は、底辺部１９ｂの一部であって、底辺部１９ｂの右側にあり、正面側に向かって所定の長さだけ延出した部分、つまり起立部８７と接している辺りの底辺部１９ｂに当たることで、回動しないようになっている。従って、水平角規制部材１０５は、水平角調整用雄ネジ８９の回転に伴って水平角調整用雄ネジ８９上をネジ軸方向に移動する。水平角規制部材１０５が移動して本体１３の支持部４３との距離が変化すると、この変化に伴って光学台支持枠１９の起立部８７と本体１３の支持部４３の距離も変化することになる。水平角規制部材１０５が移動して本体１３の支持部４３との距離が縮まる場合、水平角規制部材１０５に押さえつけられている光学台支持枠１９の起立部８７と本体１３の支持部４３の距離も縮まることになる。一方、水平角規制部材１０５が移動して本体１３の支持部４３との距離が広がる場合、水平角調整用バネ３５によって時計回りの方向に光学台支持枠１９が回動して起立部８７と本体１３の支持部４３の距離も広がることになる。こうすることで、光学台支持枠１９の回動角を変化させることができる。つまり、光学台支持枠１９の回動角は水平角規制部材１０５によって規制されており、水平角調整用雄ネジ８９を調整することで、水平角規制部材１０５の光学台支持枠１９に対する相対位置が調整され、光学台支持枠１９の水平方向の回動角を調整することになる。
【００２６】
水平角調整用雄ネジ８９の回転に伴う光学台支持枠１９の回動について図１１に基づいて詳細に説明する。図１１は、水平角調整用雄ネジ８９と水平角規制部材１０５との相対関係を説明する説明図であり、水平角調整用雄ネジ８９と水平角規制部材１０５を平面視した状態を示している。
図１１（ａ）は、図１１（ｂ）の状態を基準として、水平角調整用雄ネジ８９を緩める方向に回転させた状態を示している。このとき、水平角規制部材１０５と本体１３の支持部４３の距離は広がるため、水平角調整用バネ３５が光学台支持部１９の一部である水平方向反力受け部７９を前方に押す力によって、光学台支持枠１９は平面視で時計回り（図１１（ａ）中の矢印を参照）に回動する。
【００２７】
他方、図１１（ｃ）は、図１１（ｂ）の状態を基準として、水平角調整用雄ネジ８９を締める方向に回転させた状態を示している。このとき、水平角規制部材１０５と本体１３の支持部４３の距離は狭まるため、起立部８７が水平角規制部材１０５に押されることによって、光学台支持枠１９は平面視で反時計回り（図１１（ｃ）中の矢印を参照）に回動する。
このように光学台支持枠１９が回動するとき、横長挿通孔８７ａの中を水平角規制部材１０５の凸部１０５ａ（水平角調整用雄ネジ８９）が移動することで、光学台支持枠１９の回動を円滑にしている。
【００２８】
また、光学台支持枠１９の起立部８７は、前述したように、水平角調整用バネ３５の付勢力によって常に水平角規制部材１０５に押さえつけられており、水平角規制部材１０５が当接する起立部８７の水平角規制部材１０５側の面が当接面になっている。当接面はすなわち摩擦力が発生する摩擦面である。摩擦力は摩擦面の直交方向の力の大きさに比例して大きくなる。本実施の形態においては、水平角調整用バネ３５の付勢方向は、水平角調整用バネ３５の軸方向であって光学台支持部１９を正面側に押し出す方向であり、該付勢方向は当接面（摩擦面）に対して略平行になっていることから、当接面（摩擦面）の直交方向の力が小さい。そのため、付勢方向が当接面（摩擦面）に直交する場合と比較して、水平角規制部材１０５が起立部８７に押し付けられる押圧力が軽減されて当接面の摩擦力を低く抑えることができる。従って、光学台支持枠１９の回動が円滑に行われ、正確な水平角調整を可能にしている。
【００２９】
なお、付勢方向の当接面直交方向からのずれ角は、９０°に近ければ近いほど押圧力が軽減されて当接面の摩擦力を低く抑えることができ、ずれ角が９０°の場合は付勢方向と当接面とが平行になり当接面の摩擦力を最も低く抑えることができる。光学台２３を正面に向けた場合におけるずれ角は、４５°以上９０°以下の範囲であることが好ましく、７０°以上９０°以下の範囲がより好ましい。
【００３０】
＜垂直角調整手段＞
垂直角調整手段２７は、垂直角調整用バネ７３と頭部が操作部である垂直角調整用雄ネジ７７とによって、光学台支持枠１９のバネ支え部７５と光学台２３の垂直方向反力受け部１０３の距離を調整することで、光学台２３の垂直方向の角度を調整する。
以下に、上記の垂直角調整用バネ７３、垂直角調整用雄ネジ７７と、これらの構成について詳細に説明する。
【００３１】
垂直角調整用バネ７３は、所定の長さの圧縮弦巻バネからなり、内部に垂直角調整用雄ネジ７７が挿通可能な直径となっている。また、垂直角調整用バネ７３の径は、長穴形状である挿通孔１０３ａの短辺の長さより大きく形成されている。
垂直角調整用雄ネジ７７は、垂直角調整用雄ネジ７７の頭部が覗き孔１０１ａの近く（覗き孔１０１ａの背面側）に配置されており、垂直方向反力受け部１０３の上方から垂直方向反力受け部１０３の挿通孔１０３ａおよび垂直角調整用バネ７３に挿通されて、バネ支え部７５に設けられた垂直角調整用雌ネジ７５ａに螺入されている。
【００３２】
垂直角調整用雄ネジ７７を締めれば、垂直方向反力受け部１０３とバネ支え部７５との距離が短くなる。このとき、光学台２３は突起９５とネジ９７を回動軸として垂直方向に回動するようになっているため、光学台２３は仰ぐ方向（後傾する方向）、つまり光軸が上向きになるように回動する。
また、垂直角調整用バネ７３は垂直方向反力受け部１０３とバネ支え部７５とによって挟まれて圧縮されており、光学台２３を押し上げる方向の（垂直方向反力受け部１０３とバネ支え部７５との距離を長くする方向の）反発力を発生させている。そのため、垂直角調整用雄ネジ７７を緩めれば、バネの反発力によって、光学台２３を側面視で俯かせる方向（前傾させる方向）、つまり光軸が下向きになるように回動する。
【００３３】
以上のように構成された送光器３の設置方法および光軸調整方法について説明する。
＜設置方法＞
送光器３の設置に際して、作業者は高所にある設置位置まで機器を持ち運ぶ必要があり、持ち運びの際、図１２に示すように、本体１３の仮設置部４５のダルマ孔４５ｂと本体係止用ビス３３とを係止させて、本体１３をベース１５の上部に保持させる（図１２中の右の円で囲んだ部分を拡大したものを矢印の先に示す）。つまり、本体係止用ビス３３は、設置状態においては本体１３の係止孔３１に挿通されて使用されるが、設置するまで（光軸調整開始まで）は本体１３下部のダルマ孔４５ｂに挿通されて使用される。また、カバー１７は、カバー１７の引掛け軸６３をベース１５のフック５１ａに引っ掛けておく（図１２中の左の円で囲んだ部分を拡大したもの矢印の先に示す）。こうすることによって、送光器３を片手で持つことができ、持ち運びを非常に容易に行うことができる。また、ベース１５に本体１３及びカバー１７を係止するため、ベース１５を壁に取り付けるまで送光器３が一体的になっており、片手に施工用具を所持していても送光器３をもう片方の手で持つことができるので、送光器３の設置が容易となる。さらに、これらと共に、次の作業を円滑に行うことができる。
【００３４】
設置位置において、ベース１５を壁側のスイッチボックス等に固定する。
次いで、図１３に示すように、壁側からの配線１１１を配線窓５３から引き出して器台１１のコネクタ部１１ａと結線させる。このとき、本体１３がベース１５の配線窓５３を塞いでいないため、壁側からの配線１１１を容易に引き出すことができる。さらに、本体１３がベース１５の上方に位置しているため、作業者は下方から見上げるだけでコネクタ部１１ａの位置を確認しやすく、結線作業を容易にすることができる。
【００３５】
次いで、本体係止用ビス３３の螺着を弛めて、ベース１５から本体１３を分離させて本体１３を下方に移動させる。この際、器台１１の背面側に設けられ、下方に向かって内側（奥側から手前側）に向かって傾斜するガイド面１１ｂによって配線１１１をガイドされるので、配線１１１に負荷がかからないようになっている。
次いで、本体係止用ビス３３の頭部を本体１３の係止孔３１の矩形部３１ａに通した後に、本体１３を下方に下げて幅狭部３１ｂに本体係止用ビス３３を通すようにすることで本体１３がベース１５に設置される（図１４参照）。
このように、本体係止用ビス３３は、本体１３をベース１５の上部に一時的に保持する役割と、本体１３をベース１５に固定する役割とを兼用している。
【００３６】
＜光軸調整方法＞
光軸調整は、上記の設置作業の次に行う。光軸調整は、あらかた光軸Ｌを調整（粗調整）した後、所定の出力が得られているかを確認しながら微調整を行う。以下、粗調整と微調整について詳細に説明する。
≪粗調整≫
粗調整は、視準孔９９ａ、覗き孔１０１ａおよび反射鏡１００を用いて対向器の位置を確認しながら、水平角調整用雄ネジ８９および垂直角調整用雄ネジ７７を回して、光学台２３の水平角および垂直角を調整する。
上述したとおり、覗き孔１０１ａから反射鏡１００を見ると視準孔９９ａが見えるようになっており、覗き孔１０１ａから視準孔９９ａを見たときに、視準孔９９ａの中に対向器が見えるよう光学台２３の角度を調整する。
【００３７】
図１５は、覗き孔１０１ａから見た視準孔９９ａと視準孔９９ａの中に見える対向器（図１５には例として受光器５を図示している）の位置について図示したものである。
まず、覗き孔１０１ａを覗きながら水平角調整用雄ネジ８９および垂直角調整用雄ネジ７７を回して、対向器が反射鏡１００および視準孔９９ａを介して視野に入るようにする（図１５（ａ）参照）。
次いで、さらに調整して、図１５（ｂ）に示すように、視準孔９９ａの中央に対向器が位置するようにする。上述したとおり、視準孔９９ａの位置は光軸Ｌの水平方向と一致しているため、こうすることによって、光軸Ｌの水平角をほぼ一致させることができる。そのため、次の作業である微調整においては主に垂直角を調整すればよく作業が軽減される。
【００３８】
なお、本実施の形態では、上述したとおり、垂直角調整用雄ネジ７７の操作部としての頭部と、水平角調整用雄ネジ８９の操作部としての頭部と、覗き孔１０１ａとが、光学台２３に対して同じ面側（光学台２３の右側）に配置されている。それ故、作業者は覗き孔１０１ａを覗いて対向器の位置の確認と、ネジ頭部の回転操作による光軸調整の操作性に優れる。例えば、一般的に、垂直角調整用雄ネジ７７と水平角調整用雄ネジ８９を操作するときに、ネジ頭の十字穴を見て、それぞれのネジを９０度ずつ回して水平角、垂直角調整することがあるが、このような場合に容易に作業ができる。
なお、垂直角調整用雄ネジ７７や水平角調整用雄ネジ８９の配置は、上記のものに限られず、垂直角調整用雄ネジ７７の頭部や水平角調整用雄ネジ８９の頭部が配置光学台２３の正面および背面側以外の面、つまり外周面にあれば良い。
【００３９】
≪微調整≫
微調整は、図示しない電圧計等を用いて受光出力レベルを確認しながら、所定の出力が得られるように光学台２３の水平角および垂直角を調整する。
このとき、従来のように操作部が前面にある場合は、操作中は手が光軸Ｌを遮ってしまうので、正確な出力レベルを確認しながらの調整ができなかった。そのため、操作部を操作し、その後、出力レベルの確認を行うといった手順を繰り返すことで調整行っていた。
その点、本実施の形態の送光器３は、上記のとおり操作部としての水平角調整用雄ネジ８９の頭部を右側に、また垂直角調整用雄ネジ７７の頭部を上側にそれぞれ配置しているので、送光器３または受光器５の右側に作業者が位置して、光学台２３の右側又は／及び上側から操作することにより、操作部の操作中に光軸Ｌを遮ることがない。従って、操作部を調整しながら出力レベルを確認することができ、作業性が非常に良い。
最後に、ベース１５の下方に回動自在に軸支してあるカバー１７を本体１３の正面から被せて固定して、光軸調整は終了する。
【００４０】
以上のように、本実施の形態においては、光学台２３の光軸Ｌの水平方向の回動角を調整する水平角調整手段２５と、光軸Ｌの垂直方向の回動角を調整する垂直角調整手段２７とを有し、水平角調整手段２５および垂直角調整手段２７の操作部を側面、上面に配置したことにより、これらの操作部を操作中に光軸Ｌに手がかかることなく、光軸調整の微調整を効率的に行うことができる。
【００４１】
なお、覗き孔１０１ａの位置は右側としたが、本発明では、覗き孔１０１ａの位置はこれに限定されない。例えば、図１６および図１７に示す通り、左側であってもよい。この場合、反射鏡１００は左側に傾斜するように設置される。また、このように覗き孔１０１ａが左側にある場合、覗き孔１０１ａは、垂直角調整用雄ネジ７７の頭部および水平角調整用雄ネジ８９の頭部と、対向した配置で設けられていることになる。そのため、このようなものについて光軸調整する場合は、作業者が本体１３の左側に位置し、光軸Ｌを迂回して手を回して、垂直角調整用雄ネジ７７の頭部および水平角調整用雄ネジ８９の頭部を操作することで、覗き孔１０１ａを覗きながら、光軸Ｌに手がかかることなく、水平角及び垂直角を調整することができる。
【００４２】
視準孔９９ａは、上述したとおり、発光素子２１を通る光学台２３奥行方向の垂直面内に設けられているため、粗調整時において、水平角方向の調整の精度が特に高い。視準孔９９ａの位置はこの位置に限られるものではなく、光学台２３上で発光素子２１を通る水平面内に設けても良い。この場合、垂直角方向の精度を高めることができる。また、光学台２３上に、発光素子２３を通る水平面内および発光素子２１を通る光学台２３奥行き方向垂直面内に１つずつ、計２つの視準孔９９ａを設けても良い。この場合、視準孔９９ａ、反射鏡１００及び覗き孔１０１ａはセットなので、２組必要になる。
【００４３】
また、仮設置部４５にはダルマ孔４５ｂが設けられているとしたが、例えば、図１６および図１７に示すように、仮設置部４５の下端から所定の長さのスリット４５ｃとしてもよい。この場合、本体１３をベース１５の上方から降ろして、スリット４５ｃを隙間に差し込むようにして設置する。
【００４４】
なお、図１１では、水平角調整用雄ネジ８９が本体１３の支持部４３に対して常に直交している例を示したが、挿通孔４３ａの遊びの設定によっては、水平角調整用雄ネジ８９のネジ送りに伴って起立部８７によって水平角規制部材１０５が押されて、水平角規制部材１０５と起立部８７とが常に面で当接するとともに（図１８（ａ）、（ｂ）参照）、水平角調整用雄ネジ８９の向きが変わることがある。
そこで、図１９および図２０に示すように、光学台支持枠１９の起立部８７に対向するように起立してなる姿勢保持部８８を有してもよい。姿勢保持部８８は、起立部８７に対して光学台支持枠１９の中心寄りに設けられており、姿勢保持部８８と水平角調整用雄ネジ８９の頭部との距離は、起立部８７と水平角調整用雄ネジ８９の頭部との距離より長くなっている。つまり、姿勢保持部８８は水平角調整用雄ネジ８９の端部側に位置している。姿勢保持部８８には中央に挿通孔８８ａが設けられており、水平角調整用雄ネジ８９が挿通される。ここで、姿勢保持部８８の挿通孔８８ａは横長の孔からなり、挿通孔８８ａの水平方向の径の長さは、起立部８７の横長挿通孔８７ａの水平方向の径の長さよりも短く形成されている。こうすることで、図２１に示すように、挿通孔８８ａを形成する壁面に水平角調整用雄ネジ８９が当接して、水平角調整用雄ネジ８９の向き（姿勢）をほぼ一定に保持することができる。水平角調整用雄ネジ８９の向きがほぼ一定であれば、水平角調整用雄ネジ８９を回すためにドライバーの向きを変えなくともよく、操作性が良い。
【００４５】
さらに起立部８７と水平角規制部材１０５との間に円滑部材としての平ワッシャ１１２を配置して起立部８７と水平角規制部材１０５（凸部１０５ａ）とを間接的に当接させてもよい。このようにすることで、水平角規制部材１０５の起立部８７に対する相対移動をより円滑にすることができる。
また、このように平ワッシャ１１２を配置すると、水平角規制部材１０５の凸部１０５ａに水平角調整用バネ３５の付勢力が付加されることになる。こうすることによって、水平角規制部材１０５の長手方向端部に付勢力が付加される場合（図１８の場合）と比較して、付勢力が付加される位置が軸心寄りになるため、水平角調整用雄ネジ８９に作用する曲げモーメントを小さくすることができる。従って、水平角調整用雄ネジ８９と水平角規制部材１０５の水平角調整用雌ネジの螺合に偏った力が作用せず、ネジ送り時に動きが固くならずに常に円滑にすることができる。
【符号の説明】
【００４６】
Ｌ  光軸
Ｓ  隙間
１  光電式分離型感知器
３  送光器
５  受光器
７  Ｌ字部材
７ａ  立面部
７ｂ  水平面部
９  基板
１１  器台
１１ａ  コネクタ部
１１ｂ  ガイド面
１３  本体
１５  ベース
１７  カバー
１９  光学台支持枠
１９ａ  立辺部
１９ｂ  底辺部
２１  発光素子
２２  受光素子
２３  光学台
２５  水平角調整手段
２７  垂直角調整手段
３１  係止孔
３１ａ  矩形部
３１ｂ  幅狭部
３３  本体係止用ビス
３５  水平角調整用バネ
３７  固定軸
３９  支持軸
３９ａ  ネジ孔
４１  平ワッシャ
４３  支持部
４５  仮設置部
４５ａ  補強板
４５ｂ  ダルマ孔
４５ｃ  スリット
５１  張り出し部
５１ａ  フック
５３  配線窓
５５  ダルマ孔
５７  ビス孔
６１  切欠き部
６３  引掛け軸
７１  軸孔
７３  垂直角調整用バネ
７５  バネ支え部
７５ａ  垂直角調整用雌ネジ
７７  垂直角調整用雄ネジ
７９  水平方向反力受け部
７９ａ  横長孔
８１  回動孔
８３  押えワッシャ
８５  ネジ
８７  起立部
８７ａ  横長挿通孔
８８  姿勢保持部
８８ａ  挿通孔
８９  水平角調整用雄ネジ
９１  レンズ
９３  基板
９５  突起
９７  ネジ
９９  視準片
９９ａ  視準孔
１００  反射鏡
１０１  覗き片
１０１ａ  覗き孔
１０３  垂直方向反力受け部
１０３ａ  挿通孔
１０５  水平角規制部材
１０５ａ  凸部
１０５ｂ  水平角調整用雌ネジ
１１１  配線
１１２  平ワッシャ
【図１】
2014035714.tif 000003
【図２】
2014035714.tif 000004
【図３】
2014035714.tif 000005
【図４】
2014035714.tif 000006
【図５】
2014035714.tif 000007
【図６】
2014035714.tif 000008
【図７】
2014035714.tif 000009
【図８】
2014035714.tif 000010
【図９】
2014035714.tif 000011
【図１０】
2014035714.tif 000012
【図１１】
2014035714.tif 000013
【図１２】
2014035714.tif 000014
【図１３】
2014035714.tif 000015
【図１４】
2014035714.tif 000016
【図１５】
2014035714.tif 000017
【図１６】
2014035714.tif 000018
【図１７】
2014035714.tif 000019
【図１８】
2014035714.tif 000020
【図１９】
2014035714.tif 000021
【図２０】
2014035714.tif 000022
【図２１】
2014035714.tif 000023